(57)【要約】  被包金属粒子を特徴とする側方流動イムノアッセイ。被包粒子は、検出様式としてＳＥＲＳナノタグを用いてもよい。検出様式として被包粒子、特に被包ＳＥＲＳタグを用いると、視覚的読取りのために調製したＬＦＩの感度が増加し、そして本発明にしたがって調製したＬＦＩからのＳＥＲＳスペクトル読取り値の分析を通じて、実質的により感度が高い定性的結果または定量的な結果を得る能力が導入される。また、検出様式としてＳＥＲＳを用いると、ＬＦＩデバイスが多重化試験に用いられる能力も増進する。本発明の他の側面には、全血を試験するために特異的に設定されたＬＦＩデバイス、検出および多重化アッセイの解釈のための読取り装置、ならびに読取り装置を実行するために用いるハードウェアおよびソフトウェア構成要素が含まれる。
2009524834.tif 000002
【特許請求の範囲】
【請求項１】
側方流動イムノアッセイ（ＬＦＩ）を実行する方法であって：
支持体を提供し；
検出抗体にコンジュゲート化された被包検出粒子を提供し；
支持体の試験部分上に捕捉抗体を提供し、ここで検出抗体および捕捉抗体の両方が関心対象の抗原に対する結合アフィニティーを有し；
検出抗体を用いて、関心対象の抗原に被包粒子を結合させ；
支持体を通じて、液体試料、および抗原に結合した被包粒子を、支持体の試験部分に拡散させ；
捕捉抗体を用いて、支持体の試験部分で、被包粒子および抗原を捕捉し；そして
支持体の試験部分で、被包粒子を観察する
工程を含む、前記方法。
【請求項２】
コンジュゲート化パッド上で結合工程が起こる、請求項１の方法。
【請求項３】
支持体を通じて、液体試料および被包粒子を拡散させる前に、支持体から離れて、結合工程が起こる、請求項１の方法。
【請求項４】
液体試料および被包粒子が支持体を通じて拡散する間に、結合工程が起こる、請求項１の方法。
【請求項５】
被包検出粒子が、シリカ、ガラス、タンパク質、ＤＮＡ、ＲＮＡ、合成ポリアミノ酸、ポリリジン、ポリグルタミン酸、ポリエチレングリコール、ブロック・コポリマー・デンドリマー、ポリアミド、ポリエチレンイミン、ポリアクリレート、他の天然ポリマー、デキストラン、天然炭水化物に基づく他のポリマーおよび界面活性剤からなる群より選択される物質で被包されている、請求項１の方法。
【請求項６】
被包検出粒子が金属コアを有する、請求項１の方法。
【請求項７】
被包検出粒子が多数の金属コアを有する、請求項１の方法。
【請求項８】
被包検出粒子が、多数の個々の被包粒子の凝集体である、請求項７の方法。
【請求項９】
被包検出粒子がＡｇコアを有する、請求項１の方法。
【請求項１０】
被包検出粒子が実質的に球体ではない形状を有する、請求項１の方法。
【請求項１１】
被包検出粒子が、プリズム、ピラミッド、立方体、箱、ジャック、中空シェルおよび不規則形状からなる群より選択される形状を有する、請求項１０の方法。
【請求項１２】
被包検出粒子が、選択した波長の光での照射に際して、検出可能なスペクトルを有する、請求項１の方法。
【請求項１３】
観察工程が：
選択した波長の光を、試験部分に結合した検出粒子に照射し；そして
検出粒子のスペクトルを検出する
工程を含む、請求項１２の方法。
【請求項１４】
被包検出粒子が、ラマン活性が報告される分子と会合しているＳＥＲＳナノタグである、請求項１の方法。
【請求項１５】
観察工程が：
ラマンレポーター分子を励起可能な光を、試験部分に結合したＳＥＲＳナノタグ検出粒子に照射し；そして
ラマンレポーター分子のラマンスペクトルを検出する
工程を含む、請求項１４の方法。
【請求項１６】
照射工程で用いる光が近赤外波長を有する、請求項１５の方法。
【請求項１７】
試料が全血を含む、請求項１６の方法。
【請求項１８】
観察工程が：
支持体の試験部分を視覚的に観察し；
ラマンレポーター分子を励起可能な光を、試験部分に結合したＳＥＲＳナノタグ検出粒子に照射し；そして
ラマンレポーター分子のラマンスペクトルを検出する
工程を含む、請求項１４の方法。
【請求項１９】
各種類のＳＥＲＳ検出粒子が、別個の種類のラマン活性レポーター分子を有し、そして各種類のＳＥＲＳ検出粒子が、別々の種類の検出抗体にコンジュゲート化されている、１より多い種類の被包ＳＥＲＳ検出粒子を提供し；そして
支持体の試験部分上に１より多い種類の捕捉抗体を提供する
工程をさらに含む、請求項１４の方法。
【請求項２０】
各種類のラマンレポーター分子を励起可能な光を、試験部分に結合したＳＥＲＳナノタグ検出粒子に照射し；そして
各種類のラマンレポーター分子のラマンスペクトルを検出する
工程をさらに含む、請求項１９の方法。
【請求項２１】
１つの種類のレポーター分子のラマンスペクトルを、別の種類のレポーター分子のラマンスペクトルで較正する工程をさらに含む、請求項２０の方法。
【請求項２２】
コンジュゲート化部分および試験部分を有する支持体；
コンジュゲート化部分と機能可能であるように会合した、検出抗体にコンジュゲート化された被包検出粒子；ならびに
試験部分と機能可能であるように会合した捕捉抗体
を含む側方流動イムノアッセイ（ＬＦＩ）デバイス。
【請求項２３】
支持体と会合した赤色フィルターおよび近赤外フィルターの１つをさらに含む、請求項２２のＬＦＩデバイス。
【請求項２４】
被包検出粒子が、シリカ、ガラス、タンパク質、ＤＮＡ、ＲＮＡ、合成ポリアミノ酸、ポリリジン、ポリグルタミン酸、ポリエチレングリコール、ブロック・コポリマー・デンドリマー、ポリアミド、ポリエチレンイミン、ポリアクリレート、他の天然ポリマー、デキストラン、天然炭水化物に基づく他のポリマーおよび界面活性剤からなる群より選択される物質で被包されている、請求項２２のＬＦＩデバイス。
【請求項２５】
被包検出粒子が金属コアを有する、請求項２２のＬＦＩデバイス。
【請求項２６】
被包検出粒子がＡｇコアを有する、請求項２２のＬＦＩデバイス。
【請求項２７】
被包検出粒子が実質的に球体ではない形状を有する、請求項２２のＬＦＩデバイス。
【請求項２８】
被包検出粒子が、プリズム、ピラミッド、立方体、箱、ジャック、中空シェルおよび不規則形状からなる群より選択される形状を有する、請求項２２のＬＦＩデバイス。
【請求項２９】
被包検出粒子が、ラマン活性が報告される分子と会合しているＳＥＲＳナノタグを含む、請求項２２のＬＦＩデバイス。
【請求項３０】
各種類のＳＥＲＳ検出粒子が、別個の種類のラマン活性レポーター分子を有し、そして各種類のＳＥＲＳ検出粒子が、別々の種類の検出抗体にコンジュゲート化されている、１より多い種類の被包ＳＥＲＳ検出粒子をさらに含む、請求項２９のＬＦＩデバイス。
【請求項３１】
ラマンスペクトル読取り装置をさらに含む、請求項２９のＬＦＩデバイス。
【請求項３２】
被包検出粒子が、選択した波長の光での照射に際して、検出可能なスペクトルを有する、請求項２２のＬＦＩデバイス。
【請求項３３】
選択した波長の光源光をさらに含む、請求項３２のＬＦＩデバイス。
【請求項３４】
支持体を提供し；
検出オリゴヌクレオチドにコンジュゲート化された被包検出粒子を提供し；
支持体の試験部分上で捕捉オリゴヌクレオチドを提供し、ここで検出オリゴヌクレオチドおよび捕捉オリゴヌクレオチドの両方が関心対象のターゲットオリゴヌクレオチドに相補的であり；
検出オリゴヌクレオチドを用いて、関心対象のターゲットオリゴヌクレオチドに被包粒子を結合させ；
支持体を通じて、液体試料、および関心対象のオリゴヌクレオチドに結合した被包粒子を、支持体の試験部分に拡散させ；
捕捉オリゴヌクレオチドを用いて、支持体の試験部分で、被包粒子および関心対象のオリゴヌクレオチドを捕捉し；そして
支持体の試験部分で、被包粒子を観察する
工程を含む、前記方法。
【発明の詳細な説明】
【発明の詳細な説明】
【０００１】
技術分野
［０００１］本発明は、側方流動イムノアッセイ（ＬＦＩ）を実行するためのシステムおよび方法、特に、検出様式としてＳＥＲＳタグを用いる被包粒子を使用するＬＦＩに関する。
【０００２】
発明の背景
［０００２］側方流動イムノアッセイ（ＬＦＩ）は、迅速でそして単純な定性的診断試験のためのよく知られた基盤である。ＬＦＩは１９８０年代後期に発表された。典型的なＬＦＩには、硝酸セルロースまたは同様の物質から製造される薄い支持体または膜が含まれる。典型的には、支持体の１つの部分上のコンジュゲート化パッドに試料を適用すると、乾燥した試薬が再水和して、そして関心対象の抗原の検出に必要な免疫反応が開始する。代表的な基本的ＬＦＩは妊娠試験であり、数十万の個々の試験ストリップが毎年製造されている。試料をＬＦＩコンジュゲート化パッドに適用した後、抗原に結合した試料および検出粒子は、毛細管作用を通じて、試験ストリップ支持体の支持体試験マーカー部分に運ばれる（ｗｉｃｋ  ｕｐ）。関心対象の抗原が存在するならば、試験マーカー箇所に置かれた抗体は、先に結合していた検出粒子を捕捉する。陽性試験の場合、結合していた検出粒子が試験マーカー箇所で可視になる。可視試験マーカーは、典型的には、着色されたライン、ドットまたはシンボルである。
【０００３】
［０００３］典型的なＬＦＩデバイスは、多様な環境で使用するのに十分に単純であり、必要とする試料の調製は最小限であるかまったくなく、そして迅速な結果を生じる。しかし、典型的なＬＦＩは比較的不正確であり、そして純粋に定性的な試験である。典型的な先行技術のＬＦＩデバイスでは、高い感度、定性的分析または定量的結果を得るのは困難であるかまたは不可能である。
【０００４】
［０００４］伝統的に、多くのＬＦＩデバイスは、検出様式として２０〜４０ナノメートルの範囲の直径を持つＡｕナノ粒子を利用している。ＬＦＩのコンジュゲート化パッドに粒子を置き、そして該パッドに該粒子を結合させる前に、適切な抗体をＡｕ表面に直接吸着させる。試験ライン上のこれらのＡｕナノ粒子の捕捉によって、陽性試験を示してもよい。次いで、視覚的検出を用いて、試験ラインに結合したナノ粒子の高い光散乱性を観察してもよい。不運なことに、試験ラインに結合した粒子の視覚的検出は、血液、土または他の汚染物質によって不明瞭になりうる。
【０００５】
［０００５］より大きいＡｕナノ粒子を使用すると、サイズの増加に伴って、Ａｕナノ粒子の散乱および吸収の両方が非線形方式で増加するため、ＬＦＩ試験の感度が増加するであろう。受動的に吸着された抗体が抗原に効率的に結合する能力を、ナノ粒子自体の立体障害が制限するため、単に粒子サイズを増加させることに関連する感度代償がある。粒子可視性および抗体活性の最適な先行技術の組み合わせは、通常、約４０ｎｍの直径を有するＡｕ粒子で生じる。Ａｇなどの他の金属は、Ａｇのより高い消光機能とともに感度を増加させうる。しかし、Ａｇナノ粒子は、典型的には、Ａｕほどよく抗体を受動的に吸着するようには働かない。
【０００６】
［０００６］ＬＦＩ中の検出粒子の重大な特性は、コンジュゲートパッド上で乾燥状態から完全に放出される能力があることである。理想的には、この放出はいくぶん遅く、したがって、粒子がラインを超えて拡散する前に、抗原および結合した粒子が、続いて、捕捉ラインに結合することが可能になる。先行技術のＡｕナノ粒子は、この放出を最適にするように設計される界面化学の選択肢をまったく提供しない。さらに、アッセイを実行する支持体に対する粒子の非特異的吸着を最小限にするように、先行技術のＡｕナノ粒子の化学を調整することは不可能である。現在の実施は、いくぶん、アッセイに用いる緩衝液および支持体への、遮断剤および添加物の添加に限定される。
【０００７】
［０００７］典型的な先行技術ＬＦＩデバイスは、設計によって、単一の捕捉抗体に限定される。したがって、これらのデバイスは、単一種の検出に対する使用に限定される。限定された多重化能を持つＬＦＩ試験の例がある。典型的には、別個の試験を実行するよう選択された多数の抗体は、各々、別個の捕捉ラインと会合する。したがって、先行技術は、空間的多重化を解説する。使用する際、空間的に別個の捕捉ラインの視覚的観察によって、限定された様式で、単純な多重化定性的試験が可能になる。しかし、こうした空間的多重化形式は、試験が読取り可能になる前に、コンジュゲートパッドから最も遠くに配置された捕捉ラインと会合した検出様式が、他の捕捉ラインを経由して拡散することを必要とする。したがって、干渉の問題から感度の減少が生じるため、空間的多重化は問題がありうる。
【０００８】
［０００８］本発明は、上に論じる問題の１以上を克服することに対して向けられる。
発明の概要
［０００９］本発明は、被包金属粒子を特徴とする側方流動イムノアッセイを提供する。被包粒子は、検出様式としてＳＥＲＳナノタグを用いてもよい。検出様式として被包粒子、特に被包ＳＥＲＳタグを用いると、視覚的読取りのために調製したＬＦＩの感度が増加し、そして本発明にしたがって調製したＬＦＩからのＳＥＲＳスペクトル読取り値の分析を通じて、実質的により感度が高い定性的結果または定量的結果を得る能力が導入される。また、検出様式としてＳＥＲＳを用いると、ＬＦＩデバイスが多重化試験に用いられる能力も増進する。本発明の他の側面には、全血を試験するために特に設定されたＬＦＩデバイス、検出および多重化アッセイの解釈のための読取り装置、ならびに読取り装置を実行するために用いるハードウェアおよびソフトウェア構成要素が含まれる。
【０００９】
発明の詳細な説明
［００２６］本発明は、側方流動イムノアッセイデバイス、試験法および関連する装置を提供する。本ＬＦＩは、検出様式として、先行するＬＦＩデバイスの金属ナノ粒子の代わりに被包粒子を使用することを特徴とする。本発明の１つの態様において、被包検出粒子は、米国特許第６，５１４，７６７号、表題「Ｓｕｒｆａｃｅ  Ｅｎｈａｎｃｅｄ  Ｓｐｅｃｔｒｏｓｃｏｐｙ−Ａｃｔｉｖｅ  Ｃｏｍｐｏｓｉｔｅ  Ｎａｎｏｐａｒｔｉｃｌｅｓ」に記載されるようなＳＥＲＳタグであり、この特許は、その全体が本明細書に援用される。
【００１０】
［００２７］被包粒子は、米国特許第６，５１４，７６７号に記載されるように、石英ガラスに被包されていてもよい。限定されるわけではないが、多様な種類のポリマーを含む他の物質もまた、本発明に一致した被包物質として使用可能である。有効なＬＦＩデバイス中の粒子の１つの重大な特性は、未知の液体試料の適用に際して、コンジュゲートパッドに結合した乾燥状態から完全に放出される能力である。シリカに被包されたか、ポリマーに被包されたか、または他のものに被包された検出粒子を使用すると、乾燥状態からの容易な放出が促進される。被包粒子の流動特性が、単純な視覚的検出のために設計されたＬＦＩデバイスにおける、より鋭い読取りラインの発展に寄与しうる。以下の実施例に記載するように、被包粒子流動特性が増進すると、視覚的に読み取られるＬＦＩデバイスの感度が少なくとも７倍増加しうる。
【００１１】
［００２８］被包粒子の使用を特徴とする別のアッセイ形式は、コンジュゲートパッドに乾燥状態で結合した粒子の使用を伴わずに製造可能である。特に、本明細書に記載するような粒子を、アッセイ希釈剤に取り込んでもよい。以下の実施例に詳細に記載するこの態様において、分析物および検出粒子を試験支持体から離れて混合し、そして続いて支持体に適用してもよい。したがって、検出粒子と分析物のインキュベーション時間を制御して、最も有効な性能を達成しうる。さらに、アッセイに用いる検出タグの量を正確に制御することも可能である。これは、コンジュゲート化パッド上に限定された空間しかないか、または多重化形式で、多数の別個の検出タグを用いる場合に、特に重要でありうる。外部から適用される検出タグの別の形式は、コンジュゲート化パッドの必要性を排除し、そしてしたがって、不完全なまたは不均一な検出粒子沈着または放出のように、パッドに関連する問題に対処しうる。
【００１２】
［００２９］被包粒子を用いたＬＦＩデバイスを調製することによって達成される分散および流動特性の改善に加えて、粒子の流動特性をさらに増進し、そして制御するように、被包粒子の表面特性を調整することが可能である。例えば、デキストランまたはポリエチレングリコール（ＰＥＧ）誘導体などの低い非特異的結合特性を有すると認識されているポリマーで粒子をコーティングして、外因性タンパク質またはニトロセルロース支持体との粒子相互作用を減少させてもよい。また、粒子をより親水性または疎水性にするように選択されたポリマーでの被包によって、粒子の流動特性を改変してもよい。こうした変化は、粒子流動速度の有意な変化を引き起こすと期待され、そしてこれを用いて、アッセイを特定の流動速度の必要条件に合わせてもよい。
【００１３】
［００３０］粒子流動速度に影響を及ぼす別のありうる方法は、粒子サイズまたは流体力学半径を有意に改変するコーティングまたは被包を生成することである。例えば、より大きい粒子、または長鎖ポリマー被包を伴うものは、よりコンパクトな粒子よりも、膜との相互作用がより多く、そして流動速度がより遅いこともありうる。コーティングの性質もまた、コンジュゲートパッドとの相互作用の量およびアッセイ希釈剤中の粒子の可溶性の両方を規定することによって、コンジュゲートパッドからの粒子の放出速度に影響を及ぼすであろう。例えば、粒子可溶性を低下させることによって、コンジュゲートパッドからの粒子の放出を遅らせ、こうして抗体コーティング粒子での検出前に、抗原が試験ラインで反応するためにより多くの時間を与えることが望ましい可能性もある。さらに、粒子表面の荷電は、アッセイ性能において、非常に重要な要因でありうる。被包物質選択を通じて、多様な粒子の等電点を修飾するかまたは決定することによって；異なるｐＨの緩衝液中の粒子流動の振舞いに影響を及ぼすことも可能である。これは、コンジュゲートと通常適合しないが、抗体−抗原結合、または試料マトリックス内の複合体からの抗原の放出に利点を有する緩衝液中で、粒子を使用することを可能にする可能性もある。同様に、界面活性剤を用いて、粒子の表面特性を調整して、こうして流動特性に影響を及ぼすことも可能である。
【００１４】
［００３１］粒子表面の調整をコンジュゲート化と平行して行ってもよいことに注目することが重要であり、例えば、粒子表面の半分をＰＥＧで、そして半分を抗体でコーティングしてもよい。あるいは、抗体のコンジュゲート化前に、表面調整を行ってもよい。多くの望ましい効果を同時に達成してもよく、例えば、アミン末端ＰＥＧで粒子をコーティングして、等電点を上昇させ、非特異的結合を減少させ、そして可溶性を増加させてもよい。
【００１５】
［００３２］粒子を被包するかまたはコーティングして、上述の効果のいくつかまたはすべてを達成するのに、多くの物質が適している可能性もある。適切な物質には、限定されるわけではないが、以下が含まれる：石英ガラス、タンパク質、ＤＮＡ、ＲＮＡ、合成ポリアミノ酸（ポリリジン、ポリグルタミン酸）、ポリエチレングリコール、ブロック・コポリマー・デンドリマー、ポリアミド、ポリエチレンイミン、ポリアクリレート、およびデキストランなどの他の天然ポリマー、天然炭水化物に基づく他のポリマー、ならびに界面活性剤が含まれる。他の適切なコーティングは、米国特許出願第１１／６２２，９１５号、表題「ＰＯＬＹＭＥＲ  ＣＯＡＴＥＤ  ＳＥＲＳ  ＮＡＮＯＴＡＧ」、２００７年１月１２日出願に論じられ、この出願は、その全体が本明細書に援用される。被包検出粒子を使用すると、結合部分として、慣用的なＬＦＩの抗体および抗原ではなく、オリゴヌクレオチドの使用が促進されうる。
【００１６】
［００３３］非被包検出粒子を特徴とする先行技術のＬＦＩデバイスは、反復可能な流動特性、そしてしたがって反復可能でそして正確な試験結果を確実にする、非常に制御された支持体の性質を必要とする。厳密な支持体製造基準を維持しなければならず、これが先行技術のデバイスのコストを有意に増加させる。上述のように、増進した流動特性を持つ被包検出粒子を使用すると、選択したレベルの試験性能を達成するのに必要な支持体性質基準を緩めることも可能である。さらに、以下に詳細に記載するような較正および制御技術を用いると、容易に利用可能な支持体に特有の多様性が相殺されうる。
【００１７】
［００３４］上に論じるように、先行技術のＬＦＩデバイスは、一般的に、検出様式として、２０〜４０ｎｍの範囲の直径を持つＡｕナノ粒子を利用する。ＬＦＩデバイスの調製中に、抗体をＡｕ表面に直接吸着させる。受動的に吸着された抗体が未知の試料に存在する抗原に効率的に結合する能力を、Ａｕナノ粒子の立体障害が制限するため、粒子サイズ増加に関連する上限がある。しかし、より大きい粒子を使用すると、サイズの増加に伴って、Ａｕナノ粒子の光散乱能、そしてしたがって可視性が増加するため、ＬＦＩの感度が増加するであろう。
【００１８】
［００３５］ＳＥＲＳナノタグ、特にまたは一般的に、任意の被包粒子は、抗体活性の喪失を伴わずに、任意の現実的なサイズの金属コアを使用してもよい。これは、シリカ、ポリマーまたは他のシェルが、立体障害を最小限にする抗体の共有結合を可能にするためである。共有結合した抗体を含む被包粒子はまた、より多くの表面を抗原に利用可能にし、そして粒子あたり、より多くの抗体が付着することを可能にする、長い係留、分枝ポリマー付着、あるいはヒドロゲルまたはＰＥＧスペーサーなどの類似の付着構造も特徴としてもよい。抗体がスペーサーと結合するならば、抗原−抗体結合に対するいかなる表面の影響も最小限になるであろう。さらに、シェルは、ナノ粒子の特性を操作する、選択した修飾のための理想的な支持体を提供する。したがって、より大きい被包検出粒子を用いることによって、視覚的に検出されるＬＦＩの感度を増加させてもよい。
【００１９】
［００３６］被包はまた、検出粒子としての、非伝統的な形状の使用も可能にする。本明細書において、非伝統的な形状には、球体以外のいかなる形状も含まれる。非伝統的な形状には、限定されるわけではないが、プリズム、立方体、ピラミッド、ジャック、長方形の箱、中空シェル、あるいは平面または曲面を持つ、一般的に不規則な形状が含まれる。非伝統的な形状は、より大きい粒子に関して上述したのと同じ理由で、視覚的に検出するＬＦＩデバイスで使用するのに好適でありうる。非伝統的な形状は、単純な球体より光をよく反射し、そしてしたがって、視覚的に検出するＬＦＩデバイスの感度を増進させる。先行技術の金属ナノ粒子は、非被包非球状粒子の分散および流動特性が、試験の機能をひどく損なうであろうため、非伝統的な形状のＬＦＩデバイスで使用するには適していない。被包粒子の単分散および流動特性が増進していることによって、非伝統的な形状の使用が可能になる。
【００２０】
［００３７］被包はまた、ＬＦＩデバイスの検出様式として、Ａｕ以外の金属の使用も可能にする。Ａｕは、好ましい抗体吸着特性を持つため、先行技術において好ましい。これらの特性は、Ａｇなどの他の金属には必ずしも共有されず、そうでなければ、ＡｇはＡｕより反射性であるため、ＬＦＩデバイスの検出粒子に、より適しているであろう。シリカ、ポリマーまたは他の被包物質シェルは、被包粒子に対する抗体の共有結合を可能にするため、コア用に選択される金属は、より重要でなくなる。したがって、Ａｇなどの、より明るく、より反射性の金属を被包収集粒子のコアとして用いることも可能である。
【００２１】
［００３８］任意の種類の被包粒子で、本発明を実行してもよい。被包粒子が、適切な波長の光での照合に際して、任意の種類の検出可能なスペクトルを生じる場合、以下に論じる特定の利点が認識されうる。本発明の実施に適した被包粒子の１つの種類は、米国特許第６，５１４，７６７号に記載される粒子などのＳＥＲＳ活性ナノ粒子である。本発明の実施に適した粒子の他の種類には、限定されるわけではないが、Ｔｏｗａｒｄｓ  ｔｈｅ  ＤＲＥＤ  ｏｆ  Ｒｅｓｉｎ−Ｓｕｐｏｒｔｅｄ  Ｃｏｍｂｉｎａｔｏｒｉａｌ  Ｌｉｂｒａｒｉｅｓ：  Ａ  Ｎｏｎ−Ｉｎｖａｓｉｖｅ  Ｍｅｔｈｏｄｏｌｏｇｙ  Ｂａｓｅｄ  ｏｎ  Ｂｅａｄ  Ｓｅｌｆ−Ｅｎｃｏｄｉｎｇ  ａｎｄ  Ｍｕｌｔｉｓｐｅｃｔｒａｌ  Ｉｍａｇｉｎｇ  Ｆｅｎｎｉｒｉ，  Ｈ．；  Ｈｅｄｄｅｒｉｃｈ，  Ｈ．  Ｇ．；  Ｈａｂｅｒ，  Ｋ．  Ｓ．；  Ａｃｈｋａｒ，  Ｊ；  Ｔａｙｌｏｒ，  Ｂ．；  Ｂｅｎ−Ａｍｏｔｚ，  Ｄ．  Ａｇｎｅｗ．  Ｃｈｅｍ．  Ｉｎｔ．  Ｅｄ．；  ２０００；  ３９（２４）；  ４４８３−４４８５；およびＢａｒｃｏｄｅｄ  Ｒｅｓｉｎｓ：  Ａ  Ｎｅｗ  Ｃｏｎｃｅｐｔ  ｆｏｒ  Ｐｏｌｙｍｅｒ−Ｓｕｐｐｏｒｔｅｄ  Ｃｏｍｂｉｎａｔｏｒｉａｌ  Ｌｉｂｒａｒｙ  Ｓｅｌｆ−Ｄｅｃｏｎｖｏｌｕｔｉｏｎ  Ｆｅｎｎｉｒｉ，  Ｈ．；  Ｄｉｎｇ，  Ｌ．；  Ｒｉｂｂｅ，  Ａ．  Ｅ．；  Ｚｙｒｉａｎｏｖ，  Ｙ．  Ｊ．  Ａｍ．  Ｃｈｅｍ．  Ｓｏｃ；  （Ｃｏｍｍｕｎｉｃａｔｉｏｎ）；  ２００１；  １２３（３３）；  ８１５１−８１５２に記載されるものなどの、ラマン活性粒子、ラマンビーズが含まれる。他の適切な粒子には、ラマン活性を有する粒子状物質に加えて、既知の条件下で検出可能な任意の他の種類の分光特性を示す、ビーズ、粒子または物質が含まれる。
【００２２】
［００３９］以下に詳細に論じるように、ＳＥＲＳ活性ナノ粒子を、先行技術のＬＦＩデバイスの単純なＡｕナノ粒子の代わりに用いると、実質的に改善された視覚的検出結果が観察された。さらに、適切な検出装置によって、ＳＥＲＳ検出粒子と関連するレポーター分子のＳＥＲＳスペクトルを読み取って、ＬＦＩ試験の感度、正確さおよび柔軟性を非常に増進させてもよい。さらに、検出様式としてＳＥＲＳまたは他の分光活性粒子を用いると、非常に多重化された試験の調製および分析が可能である。
【００２３】
［００４０］ＳＥＲＳは、単一のＡｕまたはＡｇナノ粒子の表面に付着した分子の検出を可能にする。ラマン活性レポーター分子（単数または複数）に会合しているかまたは結合しているラマン増進金属は、ＳＥＲＳ活性ナノ粒子と称される。こうしたＳＥＲＳ活性ナノ粒子は、光学タグとしての有用性を有する。しかし、非被包金属から作製されたＳＥＲＳ活性ナノ粒子は、ＬＦＩなどのアッセイで用いた際、厄介な実用上の問題を提示する。金属ナノ粒子は、水溶液中での凝集に非常に高感度であり；ひとたび凝集すると、再分散させることは不可能である。さらに、いくつかのラマン活性分子の化学的組成は、金属ナノ粒子に他の分子（タンパク質など）を付着させるのに用いる化学反応と適合しない。これは、ラマン活性分子の選択、付着化学反応、および金属ナノ粒子に付着するはずの他の分子を制限する。
【００２４】
［００４１］ＳＥＲＳ活性複合ナノ粒子（ＳＡＣＮ）は、表面に１より多いラマン活性分子が付着しているかまたは会合している金属ナノ粒子で構成される。次いで、ラマン増進金属および分析物のこの複合体（ＳＥＲＳ活性金属ナノ粒子と称される）を、被包物質によってコーティングするかまたは被包する。被包物質は、ガラス物質であってもよく、そしてその結果、ＳＡＣＮは、ガラスでコーティングされた分析物を装填したナノ粒子（ＧＡＮ）と称される。ＳＥＲＳ活性金属ナノ粒子コア上に適切な被包物質のシェルを成長させるかまたは別の方式で配置することによって、ＳＡＣＮを提供してもよい。金属ナノ粒子コアは任意のサイズのＡｕまたはＡｇ球体、あるいは別の形状であってもよい。多数の金属粒子がコアに含まれてもよい。さらに、１より多い個々の粒子の凝集体を用いて、本発明を実施してもよい。
【００２５】
［００４２］本発明の被包検出様式として、ＳＥＲＳ活性ナノ粒子を使用すると、内在性の多重化が可能になる。多数の捕捉抗体の混合物を有する単一の捕捉ラインを持つ、本発明に一致したＬＦＩデバイスを調製してもよい。さらに、多数の別個の検出抗体にコンジュゲート化されたＳＥＲＳナノタグのいくつかのサブセットを用いて、コンジュゲートパッドを調製してもよい。各種類のＳＥＲＳ検出粒子は、それ自体の種類のまたはＳＥＲＳ活性のレポーター分子を有するであろう。以下により詳細に記載するように、試験を実行した後、単一の捕捉ラインまたはポイントに結合した多様なＳＥＲＳナノタグから、多数のスペクトルを得てもよい。
【００２６】
［００４３］検出様式として、多重化ＳＥＲＳナノタグ、別の種類のラマン活性粒子、ラマン活性分子、または照合に際して検出可能なスペクトルを生じうる任意の他の種類の粒子を特徴とするＬＦＩデバイスもまた、較正された結果強度を報告する能力を有する。較正された試験結果強度によって、ＬＦＩが単なる定性的指標以上のものとして機能することが可能になる。較正された強度を用いると、関心対象の抗原の定量的測定値が得られうる。例えば、ＳＥＲＳナノタグが検出様式として用いられる態様において、多重化形式の多様な種類のＳＥＲＳナノタグの１以上を陽性対照として照合して、必要な最小限の粒子流動量または速度が達成されていることを検証し、一次試験粒子に関して意味がある結果であることを確実にしてもよい。
【００２７】
［００４４］内部標準の形式を用いることによって、較正を達成してもよい。ＳＥＲＳナノタグの１つのサブセット（ＳＥＲＳスペクトル「Ａ」を持つ）を、関心対象の抗原（「未知」）に対する検出抗体にコンジュゲート化する。ＳＥＲＳナノタグの別のサブセット（ＳＥＲＳスペクトル「Ｂ」を持つ）を、既知の濃度で試料緩衝液内にドーピングした抗原に対する検出抗体にコンジュゲート化してもよい。両方の抗原に対する捕捉抗体を混合し、そして側方流動支持体上に沈着させ、そして両方のサブセットのコンジュゲート化粒子を、コンジュゲートパッド上に沈着させる。試料を流動させると、２つのＳＥＲＳスペクトル（「Ａ／Ｂ」）の比を用いて、未知の濃度を決定することも可能である。同様の様式で、捕捉抗体が、サブセット「Ｂ」にコンジュゲート化された種に直接結合するならば、「既知の」抗原を完全に省略してもよい。
【００２８】
［００４５］ＬＦＩ結果を読み取るように特に設定されたＳＥＲＳ分析装置の自動機能として、上述の較正および多重化分析を行ってもよい。専用読取り装置には、ＬＦＩカードを正確に受け取り、そして配置するように設定された容器が含まれるであろう。専用読取り装置にはまた、ＬＦＩ支持体上の特定の領域に結合したＳＥＲＳタグと会合したレポーター分子のＳＥＲＳスペクトルを励起させるように配置されたレーザーも含まれるであろう。したがって、視覚的に検出されるＬＦＩデバイスの伝統的な捕捉ラインを、捕捉ポイントまたは捕捉ドットと交換してもよく、これは、過剰な収集様式または抗体の使用を伴わずに、適切に正確なＬＦＩデバイスの調製を可能にして、より低い全体の単位コストを生じるであろう。本発明の他の態様において、ＳＥＲＳナノタグ以外の被包検出粒子を用いて、較正されたかまたは定量化された結果を報告する能力を達成してもよい。適切な粒子には、限定されるわけではないが、ラマンビーズ、および適切なデバイスでの照合に際して検出可能なスペクトル特性を有する粒子または分子の他の種類が含まれる。
【００２９】
［００４６］適切なデバイスによって検出可能なスペクトル特性を有する検出様式を用いた際、新しい種類のＬＦＩが可能であることが、当業者には容易に明らかであろう。例えば、ＳＥＲＳナノタグを検出様式として用いる態様において、２工程または別の工程の検出プロセスのいずれかを提供するＬＦＩデバイスを調製してもよい。特に、上述のように、視覚的に、またはＳＥＲＳスペクトル読取り装置を用いて、あるいはその両方で、デバイスを検出してもよい。使用する際、視覚的検査に際して陽性結果を提供するＬＦＩデバイスを、ＳＥＲＳスペクトル読取り装置でさらに読み取って、予備的な定量的データを得るか、または陽性視覚的結果を確認してもよい。ラマンビーズなどのＳＥＲＳナノタグ以外の粒子を用いて、類似の結果を得てもよい。
【００３０】
［００４７］検出様式としてＳＥＲＳナノタグを使用すると、また、分析用に全血を受け入れるＬＦＩデバイスを調製することも可能になる。血球によって与えられる強い着色が、先行技術のＡｕナノ粒子から反射されうるすべての光に干渉するかまたはこうした光を遮断することによって、試験を視覚的に読み取るいかなる試みも不明瞭にするため、先行技術のＬＦＩデバイスは、典型的には全血分析には不向きである。対照的に、ＳＥＲＳナノタグは、スペクトルの近赤外部分からの光で励起可能であり、この波長では、ヘモグロビンからの干渉は最小限になる。全血に適したＬＦＩデバイスの１つの態様において、赤色の透明カバーを支持体上に置いて、試験支持体全体に拡散される血液の負の視覚的影響を最小限にしてもよい。全血または他の液体で使用するのに適した別の態様において、近ＩＲ波長範囲の通過帯域を持つフィルターを用いて、ＳＥＲＳナノタグの照合用の近ＩＲ光の通過を可能にし、そのうえ同時に試験支持体の潜在的に望ましくない視覚的観察を防止してもよい。
【００３１】
実施例
［００４８］例示目的のためのみに以下の実施例を提供し、そしてこの実施例は、本発明の範囲を限定することを意図しない。以下に記載する実施例は、抗原および抗体結合事象を特徴とするが、結合部分として、慣用的なＬＦＩの抗体および抗原でなく、オリゴヌクレオチドを用いて、匹敵するＬＦＩシステムを調製してもよい。
【００３２】
［００４９］実施例１。
［００５０］呼吸器合胞体ウイルス（ＲＳＶ）用の商業的側方流動イムノアッセイ（ＬＦＩ）キットを得て、そしてＳＥＲＳナノタグを用いてＲＳＶ抗原の存在を検出するように、該キットを修飾した。さらに、商業的製品の感度を決定するため、いくつかのキットを入手したままで用いた。デバイスとともにＳＥＲＳナノタグを用いるため、使用前にキット内のコンジュゲートパッドを取り除いた。典型的な実験では、陽性対照を、キット由来の試料希釈剤で希釈し（総体積１６０μｌ）、そしてＲＳＶ検出抗体にコンジュゲート化されているＳＥＲＳナノタグ（ＯＤ〜５の１５μｌ）と混合した。約２分後、この混合物をキットに添加した。視覚的読取りおよびラマンスペクトルの収集前に、試験を室温で約１５分間実行した。
【００３３】
［００５１］視覚的検出のみによる、商業的試験対ＳＥＲＳナノタグ修飾試験の感度を図１に示す。ＳＥＲＳナノタグを用いた視覚的検出限界は、商業的キットと同程度に優れているかまたはより優れている：２７倍希釈した陽性試料１０２は、可視ラインを生じ、一方、商業的形式では、９倍希釈試料１０４で、ピンクがかった赤色ラインが薄れつつある。
【００３４】
［００５２］視覚的検出後、ＳＥＲＳ修飾デバイスのラマンスペクトルを収集した。商業的に入手可能なレーザーおよび分光計を用いた。試料部位でのレーザー出力はおよそ２００ｍＷであり、１００μｍのスポットサイズに焦点を当てた。獲得は、４回の１秒間積分の平均であった。次いで、積分ソフトウェアを用いて、全体のシグナルへのＳＥＲＳナノタグの寄与を分析した（全体のシグナルにはまた、ニトロセルロース膜由来のバックグラウンドも含まれる）。
【００３５】
［００５３］図２は、連続希釈陽性試料とともにインキュベーションした一連のＳＥＲＳ修飾キットの試験ラインで収集した相対的ラマンシグナルのグラフ１０６を示す。およそ４００倍希釈した陽性に対応する検出限界（ＬＯＤ）を決定した。ブランクを用いて実行した８つの異なるカード由来の８つの位置上で、バックグラウンド測定値を得た（ＬＯＤは、平均バックグラウンドに３標準偏差を加えたものとして計算された）。３つの複製カード（試験ラインで読取り）上で決定したアッセイの正確さは、１２％より優れていた。
【００３６】
［００５４］データは、非特異的結合が最小限であり、そして抗原の存在下でコンジュゲートの捕捉に成功していることを示し、ＳＥＲＳナノタグに基づく検出限界は、コロイドＡｕの視覚的検出を用いた商業的製品より約４０〜５０倍増加する。
【００３７】
［００５５］実施例２。単一（ｓｉｎｇｌｅｐｌｅｘ）実験：
［００５６］ＲＳＶ、インフルエンザＡおよびインフルエンザＢの多重化ＬＦＩ試験の開発に向けた、予備的工程として、各抗原に関する一連の単一試験を開発した。各試験のため、抗体対を購入した。選択した「フレーバー」のＳＥＲＳナノタグに各抗体をコンジュゲート化し、そして乾燥コンジュゲートパッドでなく、液体コンジュゲートとして、ＬＦＩストリップ上で試験して、ニトロセルロースストリップ上の捕捉抗体およびＳＥＲＳナノタグにコンジュゲート化された検出抗体の最適な組み合わせを決定した。最適の対が見出されたら、適切なＳＥＲＳナノタグをコンジュゲートパッド上で乾燥させ、そして完全な試験に組み立てた。
【００３８】
［００５７］ＲＳＶ、インフルエンザＡおよびインフルエンザＢに関して得た標準を用いて、これらの試験を実行した。ＲＳＶに関しては、希釈なしで、そして商業的ＬＦＩ流動緩衝液を用いた多様な希釈で、陽性対照（未知の濃度）を流動させた。インフルエンザＡおよびＢ抗原は既知の濃度であり、そしてこれらもまた、試験のため、流動緩衝液中で希釈した。カートリッジをＸＹＺステージ上に載せ、そして試料の位置を手動で調整して、各カートリッジに関して最適なシグナルを得た。１秒間の積分時間、商業的に入手可能なラマン分光計を用いて、スペクトルを獲得した。積分ソフトウェアを用いて、スペクトルからＳＥＲＳシグナルの量を抽出した。それぞれの各試験で用いたニトロセルロース（バックグラウンド）またはＳＥＲＳナノタグの単一のフレーバーの存在に関してのみ試料を分析した。これらの感度試験の結果を図３のグラフ１０８（ＲＳＶ）、図４のグラフ１１０（ＦｌｕＡ）、図５のグラフ１１２（ＦｌｕＢ）に示す。
【００３９】
［００５８］３つの単一試験各々は、抗原濃度が増加するにつれて、シグナルのかなり線形の増加を示し、そして重要なことに、各々は、抗原なしでは非常に低いシグナルを有する。さらに、すべての試験は、抗原の最高の希釈では視覚的に陽性であり、そしてブランク（流動緩衝液のみ）では視覚的に陰性であった。比較すると、すべての商業的試験は、ブランクおよび抗原の最高の希釈で陰性であった。これは、ＳＥＲＳナノタグが、視覚的読取りを用いた場合、および専用ラマン読取り装置を用いた場合の両方で、より高感度であることを示す。実験読取り時間がわずか１秒であり、そしてシグナル平均がないこともまた、強調する価値がある。試験ライン全域で、スキャニングレーザーで採取したシグナルを平均し（読取り装置ノイズを最小限にするため）、そしてより長い積分時間を用いることによって、より高感度な結果が期待されうる。
【００４０】
［００５９］実施例３。多重化実験：
［００６０］単一試験に関して適切な条件がひとたび決定されたならば、多重化ＬＦＩでの最初の試みは、本質的には、１つの試験になるようなすべての部分の組み合わせであった。三重化は、単一試験に関して用いたのと同じｄ８−ＤＰｙ−ＲＳＶコンジュゲートを用いるが、ＦｌｕＡ（Ｄｐｙ）およびＦｌｕＢ（ＢＰＥ）に関して、新規コンジュゲートを作製しなければならなかった。コンジュゲートパッド内に沈着させるため、すべてのコンジュゲートを混合した。同様に、３つの捕捉抗体すべてを縞状にして、ニトロセルロース・カード上の単一のラインにした。ストリップを組み立ててカートリッジにした後、類似の濃度範囲を用いて、各抗原を試験した。予備的試験のため、一度に１つの抗原のみを用いた。しかし、バックグラウンド・ニトロセルロースおよびタグの３つのフレーバーの存在に対して、データを分析した。また、検出／照合装置を専用カートリッジホルダーで修飾した。こうして、試料をホルダー内に挿入し、そしていかなる操作も伴わずにスペクトルを獲得して、試験ラインがレーザースポットによって探査されることを確実にした。各抗原濃度に関して、３つのタグすべての量に関するデータを図６のグラフ１１４（ＲＳＶ）、図７のグラフ１１６（ＦｌｕＡ）および図８のグラフ１１８（ＦｌｕＢ）にプロットする。すべての試料由来のバックグラウンドシグナルは非常に低く、特異的に結合したタグの捕捉によって、流動が有意には邪魔されないことが示される。縦軸のスケールが図６〜８に関して同じ大きさのものであることに注目されたい。
【００４１】
［００６１］実施例４。多重化アッセイ較正実験：
［００６２］３つの分析物（ＦｌｕＡ、ＦｌｕＢ、およびＲＳＶ）の各々に関して、陽性対照の連続希釈を調製し、そして多重化ＬＦＩキット上で流動させて、検量線を生成した。較正データおよび検量線を図９〜１３に示す。試料を試験キットに添加した１５分後に、すべてのデータポイントを獲得した。次いで、照合ソフトウェアと組み合わせて標準を用いて、コンジュゲートの各種類由来の相対的ＳＥＲＳシグナルとデータを適合させた。関心対象の種のみをプロットし、そして線形または等温モデルのいずれかを用いて、適切な曲線をデータに適合させた。
【００４２】
［００６３］３つの分析物すべてが存在する試料を調製した。ＬＦＩアッセイ形式で使用するために最適化されたユーザー・インターフェースを有する照合ソフトウェアを用いて、この試料を流動させた。試料を適用した３分後、試験物質を保持する試験カートリッジを装置内に挿入する。これによって、溶液がニトロセルロースストリップ内に拡散し始めるのに適切な時間が可能になった。読取りのためにカートリッジを垂直に挿入し、これによって液体が支持体全体にこぼれて試験を無効にする可能性もあるため、試験形式において、拡散が起こるのを確実にすることは重要であった。次いで、試料の添加から１５分の時点まで、毎分、アッセイを監視した。分析物濃度の決定には、最終データポイントのみを用いた。図９のスクリーンキャプチャ１２０は、３回の１秒間積分の平均に基づく、各時点での獲得スペクトルを示し、終点を太く描く。図１０のスクリーンキャプチャ１２２は、試験データを例示し、該データは、各時点での相対レベルならびに計算した検量線に基づく最終濃度の両方を示す。図１１のスクリーンキャプチャ１２４は、ＦｌｕＢの検量線および曲線上の終点の位置を示す。図１２のスクリーンキャプチャ１２６は、ＦｌｕＡの検量線および曲線上の終点の位置を示す。図１３のスクリーンキャプチャ１２８は、ＲＳＶの検量線および曲線上の終点の位置を示す。
【００４３】
［００６４］実施例５。
［００６５］上述のように、被包検出粒子は、伝統的に用いられる４０ｎｍ金コンジュゲートに勝る、ＬＦＩ適用のための感度の特有の利点を有する。この感度の多くは、抗体が、被包物質シェルに共有結合可能であるため、抗体活性を失うことなく、より大きい金（より容易に見える）を用いる能力から来る。用いる検出粒子以外は同一である、ＦｌｕＡに関する３つの試験を開発することによって、この概念を試験した。第一の試料は、受動的に吸着された抗体を伴う標準的な４０ｎｍ  Ａｕゾルを用いた。他の２つの試料は、上述のようなシリカ被包ＳＥＲＳタグを用い、一方の試料は５０ｎｍのＡｕコアを有する粒子を有し、そしてもう一方は、９０ｎｍのＡｕコアを有する粒子を用いた。インフルエンザＡ標準を購入し、そして各デバイスの感度を試験するのに用いた。視覚的照合によってデバイスを読み取り、そしてＳＥＲＳタグを含むものをまた、スキャニング・ラマン読取り装置を用いても読み取った。結果を図１４のグラフ１３０に示す。
【００４４】
［００６６］４０ｎｍの金コンジュゲートで調製した試験は適度に高感度であり、そして商業的に入手可能な試験から得られる結果に匹敵した。しかし、５０ｎｍコアＳＥＲＳタグは、約１．３倍、より高感度な検出限界を有し、そして９０ｎｍコア粒子は、２倍高感度であった。スキャニング・ラマン読取り装置を用いると、４０ｎｍコンジュゲートを利用する通常の読取りデバイスより、５０ｎｍコア粒子は４倍、より高感度であり、そして９０ｎｍ  Ａｕコア粒子は２１倍、より高感度であった。
【００４５】
［００６７］粒子のコアサイズは、相応の感度ブーストの一部に関与するが、スキャニング・ラマン読取り装置の使用もまた影響が大きかった。側方流動デバイスに伴う不一致のため、各デバイスは、わずかに異なる粒子放出および流動特性を有する。スキャニング・ラマン読取り装置は、試験ラインの領域および陽性結果に向かって寄与しないはずの隣接領域の両方を含有するデバイスの領域をマッピングすることを可能にすることによって、補助することが見出された。したがって、バックグラウンド減法技術を用いて、デバイスを分析した。最も強い列（粒子の流動に対して垂直）をシグナルと仮定し、そして最も強くない列を、バックグラウンドと仮定した。この特定の例において、図１５のスキャン図１３２に図式的に示すように、１３０μｍ間隔で間隔を空けた１１列（各５点）からなるスキャンを使用した。他のスキャンパターンもまた利用してもよい。
【００４６】
［００６８］実施例６。
［００６９］内部較正を伴う被包粒子ＬＦＩアッセイを図１６に示す。３つの選択した種類のコンジュゲートを含有する、側方流動デバイスを製造した。ＦｌｕＡおよびＲＳＶモノクローナル抗体コンジュゲートに、正常ウサギＩｇＧでコーティングしたＳＥＲＳタグコンジュゲートを補充した。ＦｌｕＡおよびＲＳＶ捕捉抗体、ならびに抗ウサギＩｇＧ抗体の組み合わせを用いて、ニトロセルロース膜上に試験ラインを縞状に配置した。したがって、いかなるＦｌｕＡまたはＲＳＶ抗原も存在しなくても、ウサギＩｇＧ粒子は試験ラインで捕捉されるであろう。抗原の存在下で、ウサギＩｇＧコンジュゲートおよびＦｌｕＡおよび／またはＲＳＶコンジュゲートの両方もまた、試験ラインに結合するであろう。この方式で、較正コンジュガント（conjugant）；（ウサギＩｇＧコンジュゲート）は、すべての側方流動イムノアッセイに特有の流動およびコンジュゲート放出における変動を明らかにするのを補助する。１つのありうる試験形式は、ラインよりもはるかにより小さいレーザースポットを含む、試験ラインの単回の読取りを利用するであろう。したがって、試験ライン内の、または製造許容誤差によって導入されるわずかな変動は、不正確さにつながりうる。内部較正を用いて、いかなるＬＦＩ試験にも特有の不正確さを相殺してもよい。あるいは、正確さを増加させるため、平均読取りとともに、全ラインのレーザースキャンを用いてもよい。
【００４７】
［００７０］ＳＥＲＳタグの多重化使用が適切であるため、スペクトルを容易に分析して、デバイス内の任意の数の異なる粒子の量を決定してもよい。図１６および付随する表は、較正物質の量に関して基準化せずに、デバイスを分析する場合、所定の希釈に関するＣＶが最大３０％であり得ることを示す。しかし、同じデバイスを較正物質に関して基準化すると、デバイスは、２０％未満のＣＶを有する傾向がある。
【００４８】
［００７１］試験に関する対照として機能するように、内部較正を拡張してもよい。大部分のＬＦＩは２つのラインを用い、このうち一方は、粒子が適切に流動したことを示すシグナルを常に発展させるように意図される。装置は、較正物質由来のシグナルから、抗原の存在によるシグナルを切り離すため、較正物質を単に検出することが、試験が適切に実行されそして読み取られたことを確証するように機能しうる。
【００４９】
［００７２］いくつかの態様に関連して、本発明を特に示しそして記載するが、当業者には、本発明の精神および範囲から逸脱することなく、本明細書に開示する多様な態様に対して、形式および詳細を変化させてもよく、そして本明細書に開示する多様な態様は、請求項の範囲に対する制限として働くよう意図されないことが理解されるであろう。
【図面の簡単な説明】
【００５０】
【図１】［００１０］図１は、本発明と一致するＬＦＩを示し、多様な試料希釈での、商業的に入手可能な先行技術のＬＦＩに比較した際の視覚的検出効率を示す。
【図２】［００１１］図２は、多様な試料希釈に関する本発明と一致したＬＦＩデバイスの試験ラインで収集した相対的ＳＥＲＳシグナルをグラフで示す。
【図３】［００１２］図３は、ＲＳＶの陽性対照の希釈の関数としてのＬＦＩキットから得たＳＥＲＳシグナルをグラフで示す。
【図４】［００１３］図４は、ＦｌｕＡの陽性対照の希釈の関数としてのＬＦＩキットから得たＳＥＲＳシグナルをグラフで示す。
【図５】［００１４］図５は、ＦｌｕＢの陽性対照の希釈の関数としてのＬＦＩキットから得たＳＥＲＳシグナルをグラフで示す。
【図６】［００１５］図６は、ＲＳＶ抗原濃度の関数としての多重化コンジュゲートのＳＥＲＳシグナルをグラフで示す。
【図７】［００１６］図７は、インフルエンザＡ抗原濃度の関数としての多重化コンジュゲートのＳＥＲＳシグナルをグラフで示す。
【図８】［００１７］図８は、インフルエンザＢ抗原濃度の関数としての多重化コンジュゲートのＳＥＲＳシグナルをグラフで示す。
【図９】［００１８］図９は、多重化アッセイ較正中に得たスペクトルのコンピュータスクリーンキャプチャである。
【図１０】［００１９］図１０は、代表的なスペクトルデータを示すコンピュータスクリーンキャプチャである。
【図１１】［００２０］図１１は、ＦｌｕＢの代表的な検量線を示すコンピュータスクリーンキャプチャである。
【図１２】［００２１］図１２は、ＦｌｕＡの代表的な検量線を示すコンピュータスクリーンキャプチャである。
【図１３】［００２２］図１３は、ＲＳＶの代表的な検量線を示すコンピュータスクリーンキャプチャである。
【図１４】［００２３］図１４は、多様なタグでのアッセイ実行のグラフである。
【図１５】［００２４］図１５は、図式的スキャン図である。
【図１６】［００２５］図１６は、内部較正を特徴とするアッセイのグラフである。
【図１】
2009524834.tif 000003
【図２】
2009524834.tif 000004
【図３】
2009524834.tif 000005
【図４】
2009524834.tif 000006
【図５】
2009524834.tif 000007
【図６】
2009524834.tif 000008
【図７】
2009524834.tif 000009
【図８】
2009524834.tif 000010
【図９】
2009524834.tif 000011
【図１０】
2009524834.tif 000012
【図１１】
2009524834.tif 000013
【図１２】
2009524834.tif 000014
【図１３】
2009524834.tif 000015
【図１４】
2009524834.tif 000016
【図１５】
2009524834.tif 000017
【図１６】
2009524834.tif 000018
【国際調査報告】
2009524834.tif 000019